(57)【要約】【課題】シャドウマスクが架張保持された状態における、長辺を構成する第１フレーム構成部材に内在するその長手方向の応力分布の、単位長さ当たりの落差を小さくして、架張保持されるシャドウマスクの『しわ』の発生を抑える。【解決手段】第２フレーム構成部材１４を、短辺を構成する第２フレーム構成部材本体１４ａと、第２フレーム構成部材本体１４ａの両端から同じ方向に第２フレーム構成部材本体１４ａとは略直角に延びる延出部１４ｂとにより構成する。延出部１４ｂの自由端を含む一部に固着部を形成し、固着部を、第１フレーム構成部材７の端部と中央部との間に固着する。第２フレーム構成部材１４の第１フレーム構成部材７への固着部分の長手方向と直交する面の断面積を、延出部１４ｂの自由端に向かって徐々に小さくする。【選択図】  図１
2004265790.tif 000002
【特許請求の範囲】
【請求項１】
長辺を構成する一対の第１フレーム構成部材と、
短辺を構成する第２フレーム構成部材本体と、前記第２フレーム構成部材本体の両端から同じ方向に前記第２フレーム構成部材本体とは略直角に延びる延出部とを有し、前記延出部の自由端を含む一部が前記第１フレーム構成部材の端部と中央部との間に固着された一対の第２フレーム構成部材とを具備するマスク支持フレームであって、
前記延出部のうち、少なくとも前記第１フレーム構成部材への固着部分を含む部分の長手方向と直交する面の断面積が、その部分以外の前記第２フレーム構成部材の長手方向と直交する面の断面積よりも小さいことを特徴とするマスク支持フレーム。
【請求項２】
前記延出部のうち、その長手方向と直交する面の断面積が小さくなっている部分の当該断面積が、前記延出部の自由端に向かって徐々に小さくなる請求項１に記載のマスク支持フレーム。
【請求項３】
前記延出部のうち、その長手方向と直交する面の断面積が小さくなっている部分の、前記延出部の長手方向と２つの前記延出部の自由端を結ぶ方向の両方向に直交する面の断面積が、２つの前記延出部の自由端を結ぶ線分の内方に向かって徐々に小さくなる請求項１に記載のマスク支持フレーム。
【請求項４】
前記延出部のうち、その長手方向と直交する面の断面積が小さくなっている部分の、前記延出部の長手方向と２つの前記延出部の自由端を結ぶ方向の両方向に直交する面の断面積が、２つの前記延出部の自由端を結ぶ線分の外方に向かって徐々に小さくなる請求項１に記載のマスク支持フレーム。
【請求項５】
内面に複数色の蛍光体からなる蛍光体スクリーン面を有するフェイスパネルと、前記フェイスパネルの後方に接続されたファンネルとからなるバルブと、
前記ファンネルのネック部に内蔵された電子銃と、
前記電子銃から射出された電子ビームを通過させるための複数の電子ビーム通過孔を有し、かつ、前記蛍光体スクリーン面と所定の間隔を保って前記バルブ内の所定の位置に配置されたシャドウマスクと、
前記シャドウマスクに一定の張力を与えた状態で前記シャドウマスクを保持固定するためのマスク支持フレームとを具備するカラー陰極線管であって、
前記マスク支持フレームとして請求項１〜４のいずれかに記載のマスク支持フレームが用いられ、前記シャドウマスクが一対の前記第１フレーム構成部材間に架張保持されていることを特徴とするカラー陰極線管。
【発明の詳細な説明】
【０００１】
【発明の属する技術分野】
本発明は、テレビジョン受像機やコンピュータディスプレイ等に用いられるカラー陰極線管、及びそれに用いられるシャドウマスクを架張保持するためのマスク支持フレームに関する。
【０００２】
【従来の技術】
図６に、テレビジョン受像機等に用いられる一般的なカラー陰極線管の基本構成を示す。図６に示すように、一般に、カラー陰極線管は、内面に蛍光体スクリーン面２ａを有し、実質的に長方形状に形成されたフェイスパネル２と、フェイスパネル２の後方に接続されたファンネル３とからなるバルブと、ファンネル３のネック部３ａに内蔵された電子銃４と、フェイスパネル２の内面の蛍光体スクリーン面２ａと所定の間隔を保って前記バルブ内の所定の位置に配置され、電子銃４から射出された電子ビームの到達位置を規制するためのシャドウマスク６と、シャドウマスク６を保持固定するためのマスク支持フレーム１９とを備えている。また、ファンネル３のネック部３ａ側外周には、電子銃４から射出された電子ビームを垂直方向及び水平方向に偏向するための偏向ヨーク５が配設されている。
【０００３】
シャドウマスク６は、電子銃４から射出されるＲ（赤）、Ｇ（緑）、Ｂ（青）の各色に対応する３本の電子ビームに対して色選別の役割を果たすものであり、平板に電子ビーム通過孔である略スロット状の開孔をエッチングによって多数形成することにより構成されている。尚、図６中、Ａは電子ビームの軌跡を示している。
【０００４】
マスク支持フレーム１９は、長辺を構成し、シャドウマスク６が固定される上下一対の第１フレーム構成部材７と、一対の第１フレーム構成部材７の同じ側にある端部同士を連結するように第１フレーム構成部材７に溶接によって接合された、短辺を構成する左右一対の第２フレーム構成部材８とにより構成されている。そして、このマスク支持フレーム１９と、これに固定されるシャドウマスク６とにより、シャドウマスク構体９が構成されている。この場合、マスク支持フレーム１９を、上下一対の第１フレーム構成部材７の外側から圧縮力を加えて押し縮め、シャドウマスク６には引張力を加えた状態で、シャドウマスク６を上下一対の第１フレーム構成部材７に固定し、その後、圧縮力を除去することにより、シャドウマスク６に張力（テンション）が加えられる（架張型マスク）。
【０００５】
マスク支持フレーム１９の長辺を構成する上下一対の第１フレーム構成部材７には、それぞれ板状のスプリング取付部材２１が設けられ、これらスプリング取付部材２１にはスプリング部材１０が固定されている。ここで、スプリング部材１０の取付け穴１０ａは、第１フレーム構成部材７の中央部あるいはその近傍に位置している。また、マスク支持フレーム１９の短辺を構成する左右一対の第２フレーム構成部材８には、それぞれスプリング取付部材１１が設けられ、これらスプリング取付部材１１にはスプリング部材１２が固定されている。ここで、スプリング部材１２の取付け穴１２ａは、第２フレーム構成部材８の中央部あるいはその近傍に位置している。そして、シャドウマスク構体９のフェイスパネル２への固定は、スプリング部材１０の取付け穴１０ａをフェイスパネル２の内面の上下に植設されたピン１３に係止させると共に、スプリング部材１２の取付け穴１２ａをフェイスパネル２の内面の左右に植設されたピン（図示せず）に係止させることによって行われている。このとき、マスク支持フレーム１９の短辺を構成する左右一対の第２フレーム構成部材８は、シャドウマスク６を固定する際に上下一対の第１フレーム構成部材７に加えられた圧縮力により、電子銃４側に湾曲した状態となっている。
【０００６】
ところで、張力（テンション）が加えられたシャドウマスク（架張型マスク）６を用いたカラー陰極線管においては、電子ビームの射突によるシャドウマスク６の熱膨張によってその張力が小さくなり、シャドウマスク構体９の復元作用（左右一対の第２フレーム構成部材８が電子銃４側に湾曲した状態から真っ直ぐ伸びた状態になろうとする作用）により、シャドウマスク６が蛍光体スクリーン面２ａに対して管軸方向に離れるという『シャドウマスクの位置ずれ』が生じる。その結果、電子ビーム通過孔を通過する電子ビームが所定の蛍光体に正しく当たらなくなって色むらが発生するいわゆるドーミング現象が生じてしまう。
【０００７】
このため、図７に示すように、短辺を構成する第２フレーム構成部材本体１７ａと、第２フレーム構成部材本体１７ａの両端から同じ方向に第２フレーム構成部材本体１７ａとは略直角に延びる延出部１７ｂとを有する左右一対の第２フレーム構成部材１７を用いてシャドウマスク構体１８を構成する技術が提案されている（例えば、特許文献１参照）。この場合、第２フレーム構成部材１７の延出部１７ｂの自由端が、長辺を構成する第１フレーム構成部材７の端部と中央部との間に溶接によって固着される。そして、このように構成されたシャドウマスク構体１８を用いれば、以下のようにして上記『シャドウマスクの位置ずれ』を低減することができる。すなわち、このシャドウマスク構体１８を用いた場合には、シャドウマスク６を固定する際に上下一対の第１フレーム構成部材７に圧縮力が加えられても、延出部１７ｂが撓むために、第２フレーム構成部材本体１７ａに生じる管軸方向の応力が延出部１７ｂによって吸収され、第２フレーム構成部材本体１７ａはそれほど電子銃４側に湾曲することがない。従って、電子ビームの射突によるシャドウマスク６の熱膨張によってその張力が小さくなっても、シャドウマスク６が蛍光体スクリーン面２ａに対して管軸方向にそれほど離れることはないため、色むらの発生を抑制することができる。また、このシャドウマスク構体１８を用いれば、長辺を構成する一対の第１フレーム構成部材７の長手方向におけるシャドウマスク６の引張力の分布を山型にし易くなり、シャドウマスク６の振動をシャドウマスク６の自由端部で抑え易くなる。
【０００８】
【特許文献１】特開平６−３６７０３号公報
【０００９】
【発明が解決しようとする課題】
しかし、上記のような従来のシャドウマスク構体を備えたカラー陰極線管には、以下のような問題があった。すなわち、従来のシャドウマスク構体１８を構成するマスク支持フレームにおいては、第２フレーム構成部材１７の第１フレーム構成部材７への固着部分での剛性が局所的に大きくなるために、シャドウマスク６がマスク支持フレームに架張保持された状態における、長辺を構成する第１フレーム構成部材７に内在するその長手方向の応力分布に、４次関数以上の成分（うねり）が含まれることとなる。このため、陰極線管を製造する際の熱処理工程後、及び完成された陰極線管の動作時（シャドウマスク６への電子ビーム射突時）におけるシャドウマスク６の熱膨張によってその張力が小さくなった場合に、マスク支持フレームの復元が不均一となり、第２フレーム構成部材１７の第１フレーム構成部材７への固着部分でシャドウマスク６の張力方向に『しわ』が発生するという問題があった。
【００１０】
本発明は、従来技術における前記課題を解決するためになされたものであり、シャドウマスクが架張保持された状態における、長辺を構成する第１フレーム構成部材に内在するその長手方向の応力分布の、単位長さ当たりの落差を小さくして、架張保持されるシャドウマスクの『しわ』の発生を抑えることのできるマスク支持フレーム及びそれを備えたカラー陰極線管を提供することを目的とする。
【００１１】
【課題を解決するための手段】
前記目的を達成するため、本発明に係るマスク支持フレームの構成は、長辺を構成する一対の第１フレーム構成部材と、
短辺を構成する第２フレーム構成部材本体と、前記第２フレーム構成部材本体の両端から同じ方向に前記第２フレーム構成部材本体とは略直角に延びる延出部とを有し、前記延出部の自由端を含む一部が前記第１フレーム構成部材の端部と中央部との間に固着された一対の第２フレーム構成部材とを具備するマスク支持フレームであって、
前記延出部のうち、少なくとも前記第１フレーム構成部材への固着部分を含む部分の長手方向と直交する面の断面積が、その部分以外の前記第２フレーム構成部材の長手方向と直交する面の断面積よりも小さいことを特徴とする。
【００１２】
このマスク支持フレームの構成によれば、第２フレーム構成部材の第１フレーム構成部材への固着部分での剛性が局所的に大きくなることを抑えることができるので、シャドウマスクが架張保持された状態における、長辺を構成する第１フレーム構成部材に内在するその長手方向の応力分布の、単位長さ当たりの落差を小さくすることができる。その結果、陰極線管を製造する際の熱処理工程後、及び完成された陰極線管の動作時（シャドウマスクへの電子ビーム射突時）におけるシャドウマスクの熱膨張によってその張力が小さくなった場合の、マスク支持フレームの復元を均一にして、架張保持されるシャドウマスクの『しわ』の発生を抑えることができる。
【００１３】
また、前記本発明のマスク支持フレームの構成においては、前記延出部のうち、その長手方向と直交する面の断面積が小さくなっている部分の当該断面積が、前記延出部の自由端に向かって徐々に小さくなるのが好ましい。
【００１４】
また、前記本発明のマスク支持フレームの構成においては、前記延出部のうち、その長手方向と直交する面の断面積が小さくなっている部分の、前記延出部の長手方向と２つの前記延出部の自由端を結ぶ方向の両方向に直交する面の断面積が、２つの前記延出部の自由端を結ぶ線分の内方に向かって徐々に小さくなるのが好ましい。
【００１５】
また、前記本発明のマスク支持フレームの構成においては、前記延出部のうち、その長手方向と直交する面の断面積が小さくなっている部分の、前記延出部の長手方向と２つの前記延出部の自由端を結ぶ方向の両方向に直交する面の断面積が、２つの前記延出部の自由端を結ぶ線分の外方に向かって徐々に小さくなるのが好ましい。
【００１６】
これらの好ましい例によれば、架張保持されるシャドウマスクの『しわ』の発生を抑えることができることに加えて、第２フレーム構成部材の断面が急変することを回避することができるので、シャドウマスクが架張保持された状態における、第２フレーム構成部材の局所的な応力集中を防止することができる。その結果、応力集中に起因して生じる第２フレーム構成部材の熱変形を小さくすることができるので、生産性の向上（歩留りの向上）を図ることができる。さらに、これらの好ましい例によれば、延出部のうち、少なくとも第１フレーム構成部材への固着部分を含む部分の長手方向と直交する面の断面積を、その部分以外の第２フレーム構成部材の長手方向と直交する面の断面積よりも小さくする場合の、前記第２フレーム構成部材の切削加工部分が平面となり、加工が容易となるので、加工工程の簡素化を図ることもできる。
【００１７】
また、本発明に係るカラー陰極線管の構成は、内面に複数色の蛍光体からなる蛍光体スクリーン面を有するフェイスパネルと、前記フェイスパネルの後方に接続されたファンネルとからなるバルブと、
前記ファンネルのネック部に内蔵された電子銃と、
前記電子銃から射出された電子ビームを通過させるための複数の電子ビーム通過孔を有し、かつ、前記蛍光体スクリーン面と所定の間隔を保って前記バルブ内の所定の位置に配置されたシャドウマスクと、
前記シャドウマスクに一定の張力を与えた状態で前記シャドウマスクを保持固定するためのマスク支持フレームとを具備するカラー陰極線管であって、
前記マスク支持フレームとして前記本発明のマスク支持フレームが用いられ、前記シャドウマスクが一対の前記第１フレーム構成部材間に架張保持されていることを特徴とする。
【００１８】
【発明の実施の形態】
以下、実施の形態を用いて本発明をさらに具体的に説明する。
【００１９】
本実施の形態におけるカラー陰極線管の基本構成は、図６に示した一般的なカラー陰極線管と同様であるため、本実施の形態においては、図６をも参照しながら説明する。
【００２０】
図１は本発明の一実施の形態におけるマスク支持フレームを示す斜視図、図２は本実施の形態におけるマスク支持フレームの短辺を構成する第２フレーム構成部材を示す斜視図である。
【００２１】
図６に示すように、本実施の形態におけるカラー陰極線管１は、内面に蛍光体スクリーン面２ａを有し、ガラス等で形成されたフェイスパネル２と、フェイスパネル２の後方に接続され、同じくガラス等で形成されたファンネル３とからなるバルブと、ファンネル３のネック部３ａに内蔵された電子銃４と、フェイスパネル２の内面の蛍光体スクリーン面２ａと所定の間隔を保って前記バルブ内の所定の位置に配置され、電子銃４から射出された電子ビームの到達位置を規制するためのシャドウマスク６と、シャドウマスク６を保持固定するためのマスク支持フレーム２０とを具備している。ここで、シャドウマスク６は、電子銃４から射出されるＲ（赤）、Ｇ（緑）、Ｂ（青）の各色に対応する３本の電子ビームに対して色選別の役割を果たすものであり、平板に電子ビーム通過孔である略スロット状の開孔をエッチングによって多数形成することにより構成されている。尚、ファンネル３のネック部３ａ側外周には、電子銃４から射出された電子ビームを垂直方向及び水平方向に偏向するための偏向ヨーク５が配設されている。
【００２２】
図１、図６に示すように、マスク支持フレーム２０は、長辺を構成し、シャドウマスク６が固定される上下一対の第１フレーム構成部材７と、短辺を構成し、一対の第１フレーム構成部材７が平行状態を保つように第１フレーム構成部材７に溶接によって固着された左右一対の第２フレーム構成部材１４とにより構成されている。
【００２３】
長辺を構成する第１フレーム構成部材７は、板厚３〜６ｍｍのコイル状鉄材を引き抜き、断面がＬ字状となるように曲げ加工を施して形成されたものである。尚、これに限らず、板状鉄材をプレス打ち抜きした後、曲げ加工を施すことによっても形成可能である。
【００２４】
また、図１、図２に示すように、第２フレーム構成部材１４は、断面１４〜１６ｍｍ×１４〜１６ｍｍの鉄材を材料とする四角柱体からなり、短辺を構成する第２フレーム構成部材本体１４ａと、第２フレーム構成部材本体１４ａの両端から同じ方向に第２フレーム構成部材本体１４ａとは略直角に延びる延出部１４ｂとにより構成されている。延出部１４ｂの自由端を含む一部には、第２フレーム構成部材１４を第１フレーム構成部材７に固着するための固着部１６が形成されている。固着部１６は、第１フレーム構成部材７の端部と中央部との間に固着され、第２フレーム構成部材１４を第１フレーム構成部材７に固着した状態において、延出部１４ｂは、第１フレーム構成部材７の端部からその内方へ延出した状態となる。
【００２５】
ここで、第２フレーム構成部材本体１４ａの長さは２００〜５００ｍｍ、延出部１４ｂの長さは１００〜２００ｍｍであり、第１フレーム構成部材７の長さは延出部１４ｂの長さの約２〜５倍である。尚、これらの長さは、カラー陰極線管の画面サイズによって異なる。
【００２６】
また、第２フレーム構成部材１４の第１フレーム構成部材７への固着部分の長手方向と直交する面の断面積は、前記固着部分以外の第２フレーム構成部材１４の長手方向と直交する面の断面積よりも小さくなっている。具体的には、図１、図２に示すように、前記固着部分の長手方向と直交する面の断面積が、延出部１４ｂの自由端に向かって徐々に小さくなっている。この構成によれば、第２フレーム構成部材１４の断面が急変することを回避することができるので、シャドウマスク６が架張保持された状態における、第２フレーム構成部材１４の局所的な応力集中を防止することができる。その結果、応力集中に起因して生じる第２フレーム構成部材１４の熱変形を小さくすることができるので、生産性の向上（歩留りの向上）を図ることができる。また、この構成によれば、第２フレーム構成部材１４の第１フレーム構成部材７への固着部分の長手方向と直交する面の断面積を、前記固着部分以外の第２フレーム構成部材１４の長手方向と直交する面の断面積よりも小さくする場合の、前記固着部分の切削加工部分が平面となり、加工が容易となるので、加工工程の簡素化を図ることもできる。
【００２７】
マスク支持フレーム２０の長辺を構成する第１フレーム構成部材７は、その長手方向と直交する面の断面形状がＬ字状となっており、上下一対の第１フレーム構成部材７の上面７ａにシャドウマスク６を固定することにより、シャドウマスク構体１５が構成される。尚、図１においては、シャドウマスク６の図示を省略している。
【００２８】
マスク支持フレーム２０の長辺を構成する一対の第１フレーム構成部材７には、それぞれ板状のスプリング取付部材２１が設けられ、これらスプリング取付部材２１にはスプリング部材１０が固定されている。ここで、スプリング部材１０の取付け穴１０ａは、第１フレーム構成部材７の中央部あるいはその近傍に位置している。また、マスク支持フレーム２０の一対の第２フレーム構成部材１４には、スプリング部材１２が固定されている。ここで、スプリング部材１２の取付け穴１２ａは、短辺を構成する第２フレーム構成部材本体１４ａの中央部あるいはその近傍に位置している。そして、シャドウマスク構体１５のフェイスパネル２への固定は、スプリング部材１０の取付け穴１０ａをフェイスパネル２の内面の上下に植設されたピン１３に係止させると共に、スプリング部材１２の取付け穴１２ａをフェイスパネル２内面の左右に植設されたピン（図示せず）に係止させることによって行われている。
【００２９】
本発明者は、２４型カラー陰極線管に使用されるシャドウマスク構体（第２フレーム構成部材本体の長さ：２５０ｍｍ、延出部の長さ：１０７ｍｍ、第１フレーム構成部材７の長さ：延出部の長さの約４．５倍、第１フレーム構成部材７及び第２フレーム構成部材の材料はともにクロムモリブデン鋼）を用いて、長辺を構成する第１フレーム構成部材７に内在するその長手方向の応力分布を調べた。尚、シャドウマスク６には、張力分布が中央部から周辺にかけて小さくなる山型となるような張力（テンション）が加えられている。図３に、その結果を示す。図３は、長辺を構成する第１フレーム構成部材７の中心からの距離と応力との関係を表している。尚、図３中、実線は本発明（本実施の形態）の第１フレーム構成部材７に内在する応力分布を表しており、破線は従来技術の第１フレーム構成部材７に内在する応力分布を表している。
【００３０】
図３に示すように、本発明及び従来技術ともに、応力分布は、第２フレーム構成部材の第１フレーム構成部材７への固着部分（フレーム固着領域）における第１フレーム構成部材７の中心側での応力変化が大きくなっており、特にこのフレーム固着領域での応力分布を平坦にすることにより、架張保持されるシャドウマスク６の『しわ』の発生を抑えることができると考えられる。
【００３１】
図３の破線で示した従来技術での第１フレーム構成部材７に内在する応力分布を見てみると、フレーム固着領域における応力変化が大きくなっている。特に、『しわ』の発生し易いフレーム固着領域の端部１０ｍｍの領域（図３の１３０〜１４０ｍｍの領域）においては、８．０ｋｇｆ／ｍｍ２  （＝７．８４×１０７  Ｎ／ｍ２  ）の応力変化が生じている。
【００３２】
一方、図３の実線で示した本発明での第１フレーム構成部材７に内在する応力分布を見てみると、フレーム固着領域における応力変化が小さく、フレーム固着領域の端部１０ｍｍの領域において６．７ｋｇｆ／ｍｍ２  （＝６．５７×１０７  Ｎ／ｍ２  ）となっている。従って、本発明によれば、従来技術に対して約１６％の改善効果が得られている。すなわち、本発明によれば、シャドウマスク６が架張保持された状態における、長辺を構成する第１フレーム構成部材７に内在するその長手方向の応力分布の、単位長さ当たりの落差を小さくすることができる。
【００３３】
本発明において、以上のような改善効果が得られたのは、第２フレーム構成部材１４の第１フレーム構成部材７への固着部分の長手方向と直交する面の断面積を、前記固着部分以外の第２フレーム構成部材１４の長手方向と直交する面の断面積よりも小さくしたことにより、前記固着部分での剛性が局所的に大きくなることを抑えることができるからである。そして、このような改善効果が得られることにより、陰極線管を製造する際の熱処理工程後、及び完成された陰極線管の動作時（シャドウマスク６への電子ビーム射突時）におけるシャドウマスク６の熱膨張によってその張力が小さくなった場合の、マスク支持フレーム２０の復元を均一にして、架張保持されるシャドウマスク６の『しわ』の発生を抑えることができる。
【００３４】
また、色むらの原因となるシャドウマスク６の熱膨張によるシャドウマスク構体の管軸方向への位置ずれは、本発明及び従来技術ともに１０μｍであり、本発明においても従来技術と同等の効果が得られている。
【００３５】
また、本発明においては、固着部１６の面積を従来技術と同等の約１５ｍｍ×３０ｍｍ＝約４５０ｍｍ２  としており、シャドウマスクが架張保持された状態における、第２フレーム構成部材１４の第１フレーム構成部材７への固着部分での、第１フレーム構成部材７と第２フレーム構成部材１４の境界の応力集中が、従来技術と同様に低減されている。
【００３６】
尚、上記実施の形態においては、第２フレーム構成部材１４の第１フレーム構成部材７への固着部分の長手方向と直交する面の断面積が、延出部１４ｂの自由端に向かって徐々に小さくなるような構成が採られているが、当該断面積は、前記固着部分以外の第２フレーム構成部材１４の長手方向と直交する面の断面積よりも小さくなっていればよい。従って、例えば、以下のような構成を採ることもできる。すなわち、図４に示すように、固着部分の、延出部１４ｂの長手方向と２つの延出部１４ｂの自由端を結ぶ方向の両方向に直交する面の断面積が、２つの延出部１４ｂの自由端を結ぶ線分の内方に向かって徐々に小さくなるような構成を採ってもよい。また、図５に示すように、固着部分の、延出部１４ｂの長手方向と２つの延出部１４ｂの自由端を結ぶ方向の両方向に直交する面の断面積が、２つの延出部１４ｂの自由端を結ぶ線分の外方に向かって徐々に小さくなるような構成を採ってもよい。
【００３７】
また、上記実施の形態においては、第２フレーム構成部材１４の第１フレーム構成部材７への固着部分の長手方向と直交する面の断面積を、前記固着部分以外の第２フレーム構成部材１４の長手方向と直交する面の断面積よりも小さくしているが、延出部１４ｂのうち、少なくとも前記固着部分を含む部分の長手方向と直交する面の断面積を、その部分以外の第２フレーム構成部材１４の長手方向と直交する面の断面積よりも小さくする構成であればよい。この場合、固着部分を含む部分のうち、前記固着部分を除く部分の延出部１４ｂの長手方向の長さは、５０〜１００ｍｍであるのが望ましい。
【００３８】
【発明の効果】
以上説明したように、本発明によれば、延出部のうち、少なくとも第１フレーム構成部材への固着部分を含む部分の長手方向と直交する面の断面積を、その部分以外の第２フレーム構成部材の長手方向と直交する面の断面積よりも小さくしたことにより、前記固着部分での剛性が局所的に大きくなることを抑えることができるので、シャドウマスクが架張保持された状態における、長辺を構成する第１フレーム構成部材に内在するその長手方向の応力分布の、単位長さ当たりの落差を小さくすることができる。その結果、陰極線管を製造する際の熱処理工程後、及び完成された陰極線管の動作時（シャドウマスクへの電子ビーム射突時）におけるシャドウマスクの熱膨張によってその張力が小さくなった場合の、マスク支持フレームの復元を均一にして、架張保持されるシャドウマスクの『しわ』の発生を抑えることができる。
【図面の簡単な説明】
【図１】本発明の一実施の形態におけるマスク支持フレームを示す斜視図
【図２】本発明の一実施の形態におけるマスク支持フレームの短辺を構成する第２フレーム構成部材を示す斜視図
【図３】本発明の一実施の形態におけるシャドウマスクが架張保持された状態でのマスク支持フレームの長辺を構成する第１フレーム構成部材に内在するその長手方向の応力分布を示す図
【図４】本発明の一実施の形態におけるマスク支持フレームの短辺を構成する第２フレーム構成部材の他の例を示す斜視図
【図５】本発明の一実施の形態におけるマスク支持フレームの短辺を構成する第２フレーム構成部材のさらに他の例を示す斜視図
【図６】カラー陰極線管の基本構成を示す断面図
【図７】従来技術におけるマスク支持フレームを示す斜視図
【符号の説明】
１  カラー陰極線管
２  フェイスパネル
２ａ  蛍光体スクリーン面
３  ファンネル
３ａ  ネック部
４  電子銃
６  シャドウマスク
７  第１フレーム構成部材
１４  第２フレーム構成部材
１４ａ  第２フレーム構成部材本体
１４ｂ  延出部
１６  固着部
２０  マスク支持フレーム
【図１】
2004265790.tif 000003
【図２】
2004265790.tif 000004
【図３】
2004265790.tif 000005
【図４】
2004265790.tif 000006
【図５】
2004265790.tif 000007
【図６】
2004265790.tif 000008
【図７】
2004265790.tif 000009